(57)【要約】【課題】測定精度を向上させることができるパケット・エラー・レート測定システムおよび方法を提供すること。【解決手段】アクセスポイント１００と、アクセスポイント１００の端末として動作してアクセスポイント１００経由でリンクを確立するリンク確立装置３００と、確立されたリンクを用いてアクセスポイント１００における受信エラーの発生を抑えた第１の通信環境とエラー率の測定対象となる第２の通信環境のそれぞれにおいてアクセスポイント１００経由で所定数の通信パケットを送信するパケット送信装置２００と、パケット送信装置２００から送信された通信パケットをアクセスポイント１００で受信した際に正常に受信された通信パケットの数を計測する受信パケット数計測部４２０と、正常に受信された通信パケットの数とパケット送信装置２００から送信された通信パケットの数とに基づいてエラー率を算出するエラー率算出部４４０とが備わっている。【選択図】図１
2007228105.tif 000002
【特許請求の範囲】
【請求項１】
無線ＬＡＮの基地局として動作するアクセスポイントと、
前記アクセスポイントの端末として動作し、前記アクセスポイント経由でリンクを確立する処理を行うリンク確立装置と、
前記リンク確立装置によって確立されたリンクを用いて、前記アクセスポイントにおける受信エラーの発生を抑えた第１の通信環境と、エラー率の測定対象となる第２の通信環境のそれぞれにおいて、前記アクセスポイント経由で所定数の通信パケットを送信するパケット送信装置と、
前記パケット送信装置から送信された通信パケットを前記アクセスポイントで受信した際に正常に受信された通信パケットの数を計測する受信パケット計測部と、
前記受信パケット計測部によって計測された正常に受信された通信パケットの数と、前記パケット送信装置から送信された通信パケットの数とに基づいて、受信パケットのエラー率を算出するエラー率算出部と、
を備えることを特徴とするパケット・エラー・レート測定システム。
【請求項２】
請求項１において、
前記エラー率算出部は、前記第１の通信環境に対応して算出された受信パケットのエラー率を用いて、前記アクセスポイントがインフラストラクチャモードで動作する際のビーコンフレーム送信と競合して通信パケットを正常に受信できなかった影響を取り除いて、前記第２の通信環境に対応する受信パケットのエラー率を算出することを特徴とするパケット・エラー・レート測定システム。
【請求項３】
請求項１において、
前記エラー率算出部は、前記第１の通信環境に対応して算出された受信パケットのエラー率をｐ、前記パケット送信装置から送信された通信パケットの数をＮ、このＮと前記第２の通信環境において正常に受信されて前記受信パケット計測部で計測された通信パケットの数との差であるエラー数をＥとしたときに、前記第２の通信環境に対応するエラー率を、（Ｅ−Ｎ×ｐ）／（Ｎ−Ｎ×ｐ）の式を用いて算出することを特徴とするパケット・エラー・レート測定システム。
【請求項４】
請求項１〜３のいずれかにおいて、
前記パケット送信装置は、前記リンク確立装置によってリンクが確立された後に、前記リンク確立装置になりすまして通信パケットを送信することを特徴とするパケット・エラー・レート測定システム。
【請求項５】
請求項４において、
前記パケット送信装置は、前記アクセスポイントが正常に通信パケットを受信できずに前記アクセスポイントから再送要求が送られてきたときに、この再送要求を無視して前記所定数の通信パケットを送信することを特徴とするパケット・エラー・レート測定システム。
【請求項６】
請求項１〜５のいずれかにおいて、
前記第１の通信環境は、前記パケット送信装置の送信出力増大、前記アクセスポイントとの間の距離短縮の少なくとも一方を可能な限り実施することにより実現することを特徴とするパケット・エラー・レート測定システム。
【請求項７】
請求項１〜６のいずれかにおいて、
前記アクセスポイントと前記受信パケット計測部との間は有線の接続線を介して接続されていることを特徴とするパケット・エラー・レート測定システム。
【請求項８】
請求項１〜７のいずれかにおいて、
前記リンク確立装置は、無線ＬＡＮの通信機能を有するパーソナルコンピュータによって実現されることを特徴とするパケット・エラー・レート測定システム。
【請求項９】
請求項８において、
前記パケット送信装置は、前記パーソナルコンピュータとは別に設けられた計測器に内蔵されていることを特徴とするパケット・エラー・レート測定システム。
【請求項１０】
通信パケットの受信エラーの発生を抑えた第１の通信環境において、パケット送信装置から所定数の通信パケットを送信することにより、アクセスポイントにおける受信パケットのエラー率を測定するステップと、
エラー率の測定対象となる第２の通信環境において前記パケット送信装置から送信されて前記アクセスポイントによって正常に受信された通信パケットの数を測定し、この測定結果と前記第１の通信環境において測定された前記エラー率とを用いて、前記第２の通信環境での前記アクセスポイントにおける受信パケットのエラー率を算出するステップと、
を有することを特徴とするパケット・エラー・レート測定方法。
【発明の詳細な説明】
【技術分野】
【０００１】
本発明は、無線ＬＡＮ用アクセスポイントにおけるパケット・エラー・レートを測定するパケット・エラー・レート測定システムおよび方法に関する。
【背景技術】
【０００２】
従来から、送信側通信装置から送信された複数の通信パケットを受信側通信装置で受信したパケット数を計測し、この計測された受信パケット数と送信されたパケットの総数とに基づいて受信エラー率（ＰＥＲ：パケットエラーレート）を算出するようにした測定システムが知られている（例えば、特許文献１参照。）。
【特許文献１】特開２００５−１９７９７６号公報（第８−１４頁、図１−６）
【発明の開示】
【発明が解決しようとする課題】
【０００３】
ところで、特許文献１に開示された測定システムでは、受信側通信装置がアクセスポイントの場合にはパケットエラーレートの測定結果に含まれる誤差が多くなり、正しいパケットエラーレートの測定ができずに測定精度が低下するという問題があった。例えば、ＩＥＥＥ８０２．１１に準拠するアクセスポイントは、インフラストラクチャモード（インフラモード）で動作しており、所定間隔でビーコンフレームをマルチキャスト送信している。このため、送信側通信装置から送信される計測用のパケットのタイミングと、このビーコンフレームの送信タイミングとが競合すると、アクセスポイントでは計測用のパケットを受信することができなくなるため、アクセスポイントで正常に受信されたパケットの数は真の値（ビーコンフレームと競合しなければ受信できたであろう受信パケットの数）よりも少なくなり、見かけ上のパケット・エラー・レートが低くなってしまう。
【０００４】
本発明は、このような点に鑑みて創作されたものであり、その目的は、測定精度を向上させることができるパケット・エラー・レート測定システムおよび方法を提供することにある。
【課題を解決するための手段】
【０００５】
上述した課題を解決するために、本発明のパケット・エラー・レート測定システムは、無線ＬＡＮの基地局として動作するアクセスポイントと、アクセスポイントの端末として動作し、アクセスポイント経由でリンクを確立する処理を行うリンク確立装置と、リンク確立装置によって確立されたリンクを用いて、アクセスポイントにおける受信エラーの発生を抑えた第１の通信環境と、エラー率の測定対象となる第２の通信環境のそれぞれにおいて、アクセスポイント経由で所定数の通信パケットを送信するパケット送信装置と、パケット送信装置から送信された通信パケットをアクセスポイントで受信した際に正常に受信された通信パケットの数を計測する受信パケット計測部と、受信パケット計測部によって計測された正常に受信された通信パケットの数と、パケット送信装置から送信された通信パケットの数とに基づいて、受信パケットのエラー率を算出するエラー率算出部とを備えている。特に、上述したエラー率算出部は、第１の通信環境に対応して算出された受信パケットのエラー率を用いて、アクセスポイントがインフラストラクチャモードで動作する際のビーコンフレーム送信と競合して通信パケットを正常に受信できなかった影響を取り除いて、第２の通信環境に対応する受信パケットのエラー率を算出することが望ましい。
【０００６】
また、本発明のパケット・エラー・レート測定方法は、通信パケットの受信エラーの発生を抑えた第１の通信環境において、パケット送信装置から所定数の通信パケットを送信することにより、アクセスポイントにおける受信パケットのエラー率を測定するステップと、エラー率の測定対象となる第２の通信環境においてパケット送信装置から送信されてアクセスポイントによって正常に受信された通信パケットの数を測定し、この測定結果と第１の通信環境において測定されたエラー率とを用いて、第２の通信環境でのアクセスポイントにおける受信パケットのエラー率を算出するステップとを有している。
【０００７】
受信エラーの発生を抑えた第１の通信環境においてエラー率測定を行うことにより、アクセスポイントからビーコンフレームを定期的に送信することによって発生する通信パケットの受信エラーの程度を知ることができる。したがって、このようにして取得したエラー率を考慮に入れて、実際の測定対象となる環境におけるエラー率を算出することにより、エラー率の測定精度を向上させることができる。
【０００８】
具体的には、上述したエラー率算出部は、第１の通信環境に対応して算出された受信パケットのエラー率をｐ、パケット送信装置から送信された通信パケットの数をＮ、このＮと第２の通信環境において正常に受信されて受信パケット計測部で計測された通信パケットの数との差であるエラー数をＥとしたときに、第２の通信環境に対応するエラー率を、（Ｅ−Ｎ×ｐ）／（Ｎ−Ｎ×ｐ）の式を用いて算出することが望ましい。これにより、第１の通信環境において発生する通信パケットの受信エラーの影響を取り除いた通信パケットの受信エラー数（Ｅ−Ｎ×ｐ）とエラー率を計算する際の通信パケットの総数（Ｎ−Ｎ×ｐ）を使って、誤差の少ないエラー率の算出が可能となる。
【０００９】
また、上述したパケット送信装置は、リンク確立装置によってリンクが確立された後に、リンク確立装置になりすまして通信パケットを送信することが望ましい。これにより、確立されたリンクを利用してアクセスポイントに対してエラー率計測用の複数の通信パケットを送信することが可能となる。
【００１０】
また、上述したパケット送信装置は、アクセスポイントが正常に通信パケットを受信できずにアクセスポイントから再送要求が送られてきたときに、この再送要求を無視して所定数の通信パケットを送信することが望ましい。これにより、通信パケットの受信エラーが発生した場合に通信パケットの再送が行われないため、受信エラーが生じない通信パケットの数を正確に測定することができる。
【００１１】
また、上述した第１の通信環境は、パケット送信装置の送信出力増大、アクセスポイントとの間の距離短縮の少なくとも一方を可能な限り実施することにより実現することが望ましい。これにより、通信環境によって発生する通信パケットの受信エラーを極力少なくすることが可能になる。
【００１２】
また、上述したアクセスポイントと受信パケット計測部との間は有線の接続線を介して接続されていることが望ましい。一般に、アクセスポイントには有線の接続インタフェース（イーサネット（登録商標）やＵＳＢ用のインタフェース）が備わっているため、測定のための特別な接続構造を追加することなくこの接続インタフェースを介して有線の接続線でアクセスポイントと受信パケット計測部との間を接続して必要なデータの入出力を行うことが可能となる。
【００１３】
また、上述したリンク確立装置は、無線ＬＡＮの通信機能を有するパーソナルコンピュータによって実現されることが望ましい。リンクを確立するだけであれば、アクセスポイントに無線ＬＡＮを介して接続可能なパーソナルコンピュータを用いることができ、これにより、計測用の高価な装置を用いることなく安価な構成でエラー率測定を実施することが可能になる。
【００１４】
また、上述したパケット送信装置は、パーソナルコンピュータとは別に設けられた計測器に内蔵されていることが望ましい。これにより、各種の計測を行う計測器に受信パケットのエラー率を測定する機能の一部を搭載することで、専用のパケット送信装置が不要になる。
【発明を実施するための最良の形態】
【００１５】
以下、本発明を適用した一実施形態のパケット・エラー・レート測定システムについて、図面を参照しながら詳細に説明する。図１は、一実施形態のパケット・エラー・レート測定システムの全体構成を示す図である。図１に示すように、本実施形態のパケット・エラー・レート測定システムは、アクセスポイント１００における受信パケットのエラー率であるパケット・エラー・レート（ＰＥＲ）を測定するためのものであり、パケット送信装置２００、リンク確立装置３００、ＰＥＲ測定装置４００を備えている。
【００１６】
パケット送信装置２００は、ＰＥＲ測定用の所定個数の通信パケットを送信するためのものであり、パケット送信処理部２１０と送受信部２２０を備えている。パケット送信処理部２１０は、送信対象となる複数の通信パケットのそれぞれを識別する識別情報と、送信する通信パケットの数を示すパケット送信数とをデータに含む複数の通信パケットを生成する。これらの通信パケットは、送受信部２２０によって所定の変調等が行われてアクセスポイント１００経由でＰＥＲ測定装置４００に向けて送信される。本実施形態では、このパケット送信装置２００は、半導体デバイスや回路に入力する各種の信号波形を発生するとともにこれらの半導体デバイスや回路から出力される信号を測定して表示を行うシグナルアナライザやスペクトラムアナライザ等の計測器に内蔵されている。各種の計測器に受信パケットのエラー率を測定する機能の一部を搭載することで、専用のパケット送信装置が不要になる。
【００１７】
図２は、パケット送信処理部２１０によって生成される通信パケットのデータ構造を示す図である。本実施形態では、パケット送信装置２００からアクセスポイント１００に対して、ＩＥＥＥ８０２．１１に基づく無線ＬＡＮ規格に準拠したフレーム（通信パケット）が送信されるものとする。図２に示すように、通信パケットは、ＰＬＣＰ（Physical Layer Convergence Protocol）プリアンブル、ＰＬＣＰヘッダ、ＭＡＣヘッダ、フレームボディを備えている。ＰＬＣＰプリアンブルは、物理層で付加されるものであり、実際の通信データの前に付加される同期用のビット列である。ＰＬＣＰヘッダは、物理層で付加されるものであり、実際の通信データであるＭＡＣデータとフレームボディからなるＰＳＤＵ（Physical Layer Service Data Unit）の伝送速度やデータ長等が含まれる。本実施形態では、パケット送信装置２００から送信される複数の通信パケットのそれぞれには、フレームボディの所定位置に識別情報とパケット送信数とが含まれている。
【００１８】
リンク確立装置３００は、アクセスポイント１００の無線端末として動作し、アクセスポイント１００に接続されたＰＥＲ測定装置４００との間でリンクを確立する。リンク確立装置３００は、リンク確立処理部３１０と送受信部３２０を備えている。リンク確立処理部３１０は、ＰＥＲ測定装置４００との間でリンクを確立するために必要な処理を行う。送受信部３２０は、無線ＬＡＮのフレームの送受信を行うとともに送受信されるフレームに対応する変復調処理を行う。
【００１９】
リンク確立装置３００とＰＥＲ測定装置４００との間でリンクを確立するためには、まず、ＰＥＲ測定装置４００が接続されたアクセスポイント１００をリンク確立装置３００が探す必要がある。この処理をスキャンというが、大別すると、パッシブスキャンとアクティブスキャンの２つがある。本実施形態では、リンク確立装置３００は、どちらの方法を用いてリンクを確立してもよい。また、リンク確立装置３００およびＰＥＲ測定装置４００は、ともにパーソナルコンピュータを用いて専用のソフトウエアをインストールすることにより実現することが可能である。この場合に、リンク確立装置３００を実現するパーソナルコンピュータは無線ＬＡＮの機能が必要になるが、ＰＥＲ測定装置４００はＩＦ処理部４１０（後述する）を介してアクセスポイント１００に接続されるため、無線ＬＡＮの機能は必要ない。
【００２０】
アクセスポイント１００は、無線ＬＡＮの中継装置であり各端末に対して基地局として動作する。アクセスポイント１００は、ＡＰ（アクセスポイント）処理部１１０、送受信部１２０、ＩＦ（インタフェース）処理部１３０を備えている。ＡＰ処理部１１０は、送受信部１２０を介して通信パケットの送受信処理を行うとともに、ＩＦ処理部１３０を介して接続された外部装置との間で各種データを送受信する処理を行う。なお、アクセスポイント１００は、ＰＥＲ測定用に特別なハードウエアおよびソフトウエアを追加する必要はなく、従来構成がそのまま用いられる。一般に、アクセスポイント１００には、有線の接続インタフェースが備わっている。例えば、イーサネット（登録商標）用の接続口が設けられていることが多いが、ＵＳＢやＩＥＥＥ１３９４用の接続口が設けられている場合もある。ＩＦ処理部１３０は、これらの有線の接続インタフェースを用いたデータの転送処理を行う。
【００２１】
ＰＥＲ測定装置４００は、アクセスポイント１００によって受信された測定用の通信パケットに基づいてＰＥＲを測定し、その結果を表示するためのものである。このＰＥＲ測定装置４００は、ＩＦ処理部４１０、リンク確立処理部４１２、受信パケット数計測部４２０、パケット送信数取得部４３０、エラー率算出部４４０、表示部４５０を備えている。ＩＦ処理部４１０は、アクセスポイント１００内のＩＦ処理部１３０に対応するものであり、アクセスポイント１００との間で有線の接続インタフェースを用いたデータの転送処理を行う。
【００２２】
リンク確立処理部４１２は、リンク確立装置３００によるリンク確立の要求に応じてリンクを確立する処理を行う。受信パケット数計測部４２０は、アクセスポイント１００によって正常に受信された通信パケットの数であるパケット受信数を計測する。アクセスポイント１００では、データリンク層の処理においてデータに誤りが検出された通信パケット等の正常に受信できなかった通信パケットを破棄する。このため、受信パケット数計測部４２０は、データリンク層の処理で破棄されず、データリンク層より上位の層において観測可能な通信パケットの数をパケット受信数として計測する。
【００２３】
パケット送信数取得部４３０は、アクセスポイント１００によって受信された通信パケットに基づいてパケット送信数を取得する。上述したように、パケット送信装置２００からアクセスポイント１００に向けて送信されるＰＥＲ測定用の通信パケットには、フレームボディ内に「パケット送信数」が含まれているため、パケット送信数取得部４３０は、この「パケット送信数」を読み出して取得する。なお、上述した例では、パケット送信装置２００からアクセスポイント１００に向けて送信される複数の送信パケットに「パケット送信数」を含ませたが、一部の通信パケットのみに「パケット送信数」を含ませるようにしてもよい。また、パケット送信数の取得方法は、アクセスポイント１００におけるＰＥＲの測定を可能にするという本発明の趣旨とは直接関係しないため、その他の方法を用いて取得するようにしてもよい。例えば、予めパケット送信数がわかっているときに、ＰＥＲ測定装置４００に備わった操作部（図示せず）を用いて利用者がパケット送信数を入力するようにしてもよい。
【００２４】
エラー率算出部４４０は、受信パケット数計測部４２０によって計測されたパケット受信数と、パケット送信数取得部４３０によって取得されたパケット送信数とに基づいてアクセスポイント１００におけるＰＥＲを算出する。算出結果は表示部４５０に表示される。
【００２５】
本実施形態のパケット・エラー・レート測定システムはこのような構成を有しており、次に、そのアクセスポイント１００におけるＰＥＲを測定する動作を説明する。図３は、ＰＥＲ測定の動作手順を示す流れ図である。
【００２６】
ステップＳ１０
まず、環境による通信パケットの受信エラーが生じない状態、すなわちアクセスポイント１００における受信エラーの発生を抑えた環境（第１の通信環境）において、ＰＥＲを測定する。具体的には、以下の（１ａ）〜（１ｅ）の手順にしたがってＰＥＲが測定される。
（１ａ）リンク確立装置３００は、アクセスポイント１００経由でＰＥＲ測定装置４００との間でリンクを確立する。
（１ｂ）パケット送信装置２００は、確立されたリンクを用いて所定個数の通信パケットを送信する。この通信パケットの送信は、環境による通信パケットの受信エラーが極力生じない状態で行われる。例えば、パケット送信装置２００の送信出力を増大させたり、パケット送信装置２００をアクセスポイント１００の設置位置に近づけたりして、可能な限り良好な電波状態を確保した後に通信パケットの送信が行われる。また、パケット送信装置２００は、リンク確立装置３００になりすましてこのリンク確立装置３００によって確立したリンクを用いて通信パケットを送信する。さらにこの通信パケットの送信は、アクセスポイント１００から再送要求が送られてきてもこの再送要求を無視して行われる。
（１ｃ）アクセスポイント１００は、パケット送信装置２００から送信されるＰＥＲ測定装置４００向けの通信パケットを受信し、ＰＥＲ測定装置４００に転送する。このとき、電波状態に応じて発生する受信エラーをほぼ完全に回避することができたとしても、定期的にアクセスポイント１００から送信されるビーコンフレームとの競合が生じるおそれがあるため、この競合に伴って受信エラーが発生する。そのため、一部の通信パケットは、アクセスポイント１００によって正常に受信されず、ＰＥＲ測定装置４００へは転送されない。
（１ｄ）ＰＥＲ測定装置４００内の受信パケット数計測部４２０は、アクセスポイント１００によって転送される通信パケットの数であるパケット受信数を測定する。
（１ｅ）エラー率算出部４４０は、受信パケット数計測部４２０によって測定されたパケット受信数と、パケット送信数取得部４３０によって取得したパケット送信数とに基づいて、アクセスポイント１００におけるＰＥＲを算出する。この算出値をｐとすると、
ｐ＝（（パケット送信数）−（パケット受信数）／（パケット送信数））  …（１）
の関係式でＰＥＲを算出することができる。
【００２７】
ステップＳ２０
次に、試験環境、すなわち実際にＰＥＲの測定対象となる環境（第２の通信環境）において、パケット受信数Ｍを測定する。具体的には、以下の（２ａ）〜（２ｄ）の手順にしたがってパケット受信数Ｍが測定される。
（２ａ）リンク確立装置３００は、アクセスポイント１００経由でＰＥＲ測定装置４００との間でリンクを確立する。
（２ｂ）パケット送信装置２００は、確立されたリンクを用いて所定個数の通信パケットを送信する。この通信パケットの送信は、第２の通信環境で行われる。また、パケット送信装置２００は、リンク確立装置３００になりすましてこのリンク確立装置３００によって確立したリンクを用いて通信パケットを送信する。さらにこの通信パケットの送信は、アクセスポイント１００から再送要求が送られてきてもこの再送要求を無視して行われる。
（２ｃ）アクセスポイント１００は、パケット送信装置２００から送信されるＰＥＲ測定装置４００向けの通信パケットを受信し、ＰＥＲ測定装置４００に転送する。このとき、定期的にアクセスポイント１００からビーコンフレームが送信されることに伴って受信エラーが発生するが、これ以外にも、電波状態に応じて受信エラーが発生する。そのため、これらの受信エラーが発生した通信パケットは、アクセスポイント１００からＰＥＲ測定装置４００へは転送されない。
（２ｄ）ＰＥＲ測定装置４００内の受信パケット数計測部４２０は、アクセスポイント１００によって転送される通信パケットの数であるパケット受信数Ｍを測定する。
【００２８】
ステップＳ３０
次に、エラー率算出部４４０は、以下の式にしたがって試験環境におけるＰＥＲを算出する。
【００２９】
ＰＥＲ＝（Ｅ−Ｎ×ｐ）／（Ｎ−Ｎ×ｐ）                              …（２）
ここで、Ｎはパケット送信数取得部４３０によって取得されるパケット送信数であり、Ｅは正常に受信されなかった通信パケットの数（エラー数）である。このエラー数Ｅは、Ｎ−Ｍによって算出することができる。
【００３０】
（２）式において、Ｎ×ｐは、ビーコンフレームの送信に伴って生じた受信エラーに対応する通信パケットの数を示している。すなわち、（２）式では、この通信パケットの数をエラー数Ｅとパケット送信数Ｎの両方から減算することにより、ビーコンフレームの送信によって生じる受信エラーの影響を取り除いたＰＥＲを求めている。
【００３１】
ステップＳ４０
表示部４５０は、ステップＳ３０においてエラー率算出部４４０によって算出されたＰＥＲを表示する。
【００３２】
このように、本実施形態のパケット・エラー・レート測定システムでは、受信エラーの発生を抑えた第１の通信環境においてＰＥＲの測定を行うことにより、アクセスポイント１００からビーコンフレームを定期的に送信することによって発生する通信パケットの受信エラーの程度を知ることができる。したがって、このようにして取得したＰＥＲを考慮に入れて、実際の測定対象となる環境におけるＰＥＲを算出することにより、ＰＥＲの測定精度を向上させることができる。
【００３３】
また、パケット送信装置２００は、リンク確立装置３００によってリンクが確立された後に、リンク確立装置３００になりすまして通信パケットを送信しており、これにより、確立されたリンクを利用してアクセスポイント１００に対してＰＥＲ計測用の通信パケットを送信することが可能となる。
【００３４】
また、パケット送信装置２００は、アクセスポイント１００が正常に通信パケットを受信できずにアクセスポイント１００から再送要求が送られてきたときに、この再送要求を無視して所定数の通信パケットを送信している。これにより、通信パケットの受信エラーが発生した場合に通信パケットの再送が行われないため、受信エラーが生じない通信パケットの数を正確に測定することができる。
【００３５】
なお、本発明は上記実施形態に限定されるものではなく、本発明の要旨の範囲内において種々の変形実施が可能である。上述した実施形態では、パケット送信装置２００が計測装置に内蔵され、この計測器とは別にリンク確立装置３００が備わっているものとして説明したが、リンク確立装置３００の機能を計測器に搭載するようにしてもよい。また、パケット送信装置２００の計測器に内蔵せずに、計測器以外の装置に内蔵させたり、単独の装置としてもよい。
【図面の簡単な説明】
【００３６】
【図１】一実施形態のパケット・エラー・レート測定システムの全体構成を示す図である。
【図２】パケット送信処理部によって生成される通信パケットのデータ構造を示す図である。
【図３】ＰＥＲ測定の動作手順を示す流れ図である。
【符号の説明】
【００３７】
１００  アクセスポイント
１１０  ＡＰ処理部
１２０、２２０、３２０  送受信部
１３０、４１０  ＩＦ処理部
２１０  パケット送信処理部
３１０、４１２  リンク確立処理部
４２０  受信パケット数計測部
４３０  パケット送信数取得部
４４０  エラー率算出部
４５０  表示部
【図１】
2007228105.tif 000003
【図２】
2007228105.tif 000004
【図３】
2007228105.tif 000005